(57)【要約】【課題】入浴やシャワーの使用に際して、人体のシルエットが影絵としてシャワーカーテンに投影されることによって、室外から視認される恐れがない防水遮光カーテンを可能とする。【解決手段】黒色その他の暗色系の色彩に着色した不透明かつ遮光機能を有する軟質合成樹脂製シートの両側面又は一側面に、透明又は明色系の色彩に着色し或いは表面に任意の模様や絵柄等を設けてなる軟質合成樹脂製シートを層状に重層し一体に張着する。【選択図】図１
0003102662.tif 000002
【実用新案登録請求の範囲】
【請求項１】
黒色その他の暗色系の色彩に着色した不透明かつ遮光機能を有する軟質合成樹脂製シートの両側面又は一側面に、透明又は明色系の色彩に着色し或いは表面に任意の模様や絵柄等を設けてなる軟質合成樹脂製シートを層状に重層し一体に張着してなることを特徴とする防水遮光カーテン。
【請求項２】
黒色その他の暗色系の色彩に着色した不透明かつ遮光機能を有する軟質合成樹脂製シートの両側面又は一側面に、室内の彩色や模様に調和せしめた任意の色彩や模様や絵柄等を表面に形成してなる軟質合成樹脂製シートを層状に重層し一体に張着してなることを特徴とする請求項１の防水遮光カーテン。
【請求項３】
黒色その他の暗色系の色彩に着色した不透明かつ遮光機能を有する軟質合成樹脂製シートの両側面又は一側面に、表面に幅方向に対し直交方向に多数の突起線状に形成した凸状補強リブを一定間隔に列設してなる軟質合成樹脂製シートを層状に重層し一体に張着してなることを特徴とする請求項１、２の防水遮光カーテン。
【請求項４】
黒色その他の暗色系の色彩に着色した不透明かつ遮光機能を有する軟質合成樹脂製シートの両側面又は一側面に、防カビ剤を混合してなる軟質合成樹脂製シートを層状に重層し一体に張着してなることを特徴とする請求項１、２、３の防水遮光カーテン。
【請求項５】
防カビ剤が、電解銅粉末である請求項４の防水遮光カーテン。
【請求項６】
防カビ剤が、ゼオライト粉末である請求項４の防水遮光カーテン。
【請求項７】
防カビ剤が、セレン粉末である請求項４の防水遮光カーテン。
【請求項８】
防カビ剤が、電解銅粉末とゼオライト粉末とセレン粉末との混合である請求項４の防水遮光カーテン。
【請求項９】
防カビ剤が、天然性の防カビ抗菌剤として竹の抽出成分のｐ−ベンゾキノン誘導体である請求項４の防水遮光カーテン。
【請求項１０】
黒色その他の暗色系の色彩に着色した不透明かつ遮光機能を有する軟質ビニール樹脂製シートの両側面又は一側面に、透明又は明色系の色彩に着色し或いは表面に任意の模様や絵柄等を設けてなる撥水機能を有する軟質ビニール樹脂製シートを層状に重層し一体に張着してなることを特徴とする請求項１、２、３、４、５、６、７、８、９の防水遮光カーテン。
【考案の詳細な説明】
【技術分野】
【０００１】
本考案は、防水遮光カーテンに関するものであり，建物の窓やドアその他の任意な場所において開閉自在に張設するカーテンであって、特に、大量の水を使用するところの浴室やシャワールームにおける窓やドアその他の任意の位置に開閉自在に張設するところの防水性と遮光性とを有する防水遮光カーテンに関するものである。
【背景技術】
【０００２】
従来の建物の窓やドア等において太陽の日照による強い光線の室内への侵入を阻止し、或いは、昼夜を問わず建物の室内を覗き見されるのを防止するために、建物の内部から外部への光線の漏出を防ぐための遮光カーテンは実用に供されている。
また、浴室やシャワールームにおいて使用する大量の水分が所定の場所以外に飛散するのを防止するためのシャワーカーテンも実用に供されている。
実用の遮光カーテンにおいては、単に強烈な太陽光線の建物の室内への侵入を防止し、或いは、建物の室内からの光の漏出を防止すれば十分であり、また、シャワーカーテンにおいては入浴中やシャワー使用中において大量に飛散する水分が一定の場所以外への飛散を防止すれば十分であった。
【０００３】
しかしながら、浴室やシャワールームにおいては、人は全く無防備な状態の素裸の状態になるものであるから、場合によつては外部から入浴中であることやシャワーを使用中であることが全く他人から知られたくない場合があり、さらに、大都会に集中して建造されている集合住宅のマンションや公団住宅やホテル等においては、女性特に一人暮らしの女性においては入浴中やシャワー使用中に、折角張設したシャワーカーテンから人体を透視されることは勿論のこと、不透明または半透明なシャワーカーテンであっても人体がシルエットの影絵として投射されて、これを外部から視認されることは、防犯上の観点からも阻止されなければならないという問題があった。
【０００４】
また従来の遮光カーテンにおいては、昼間においては太陽の日照による強い光線や熱エネルギーを室内に直接に投射されるのを防止し、夜間においては月光やネオンサインや街燈等の人工照明からの光線が建物の室内に投光されるのを阻止し、また、室内からの照明用の光線が建物の外部に漏出するのを阻止することはできるが、従来のこの種の遮光ーテンは、水分の飛散を防止したり、織布製であるため水蒸気の拡散進入を防止する等の防水効果は期待できないばかりか、表面にカビが発生するのを防止する防カビ効果や織布製のカーテン生地に水分が吸水されるのを防止する吸水防止効果を発揮することができないという問題があった。
【０００５】
またシャワーカーテンにおいては、浴室やシャワールームにおいて大量に使用する水分が一定の場所以外に飛散するのを防止したり、浴室やシャワールームにおいて大量に発生する水蒸気の拡散進入を防止する等の防水効果やカーテン生地の吸水防止効果は発揮できるが、従来のシャワーカーテンには、内部が見えないようにした半透明な資料のものは提供されているが、完全に光線が透過しなしいようにした遮光効果を有するものは提供されていないため、入浴中やシャワー使用中に、シャワーカーテンに人体がシルエットの影絵として投射されるのを防止することはできないという問題があった。
【０００６】
この改善策としてシート状プラスチック製のカーテンの基体の表面に光の反射率の高い顔料等の塗料を塗装した反射層を形成し、該反射層の上に室内の壁面や家具・調度品との調和するように色彩調和を図る塗装層からなる意匠層を設けてなる遮光部材が提案されている。
この種のシート状プラスチック製のカーテンたる基体の表面に反射塗料を一定の層厚を有し遮光機能を発揮できるような塗装による反射層を形成し、さらにこの反射層の上に重層して色彩調和を図るために、色彩調和機能を発揮できるような一定の層厚を有する塗装層からなる意匠層を積層して形成するということは、技術的にも困難であり、かつ、工程が複雑であるために高価格化して実際的ではないという問題があった。
【特許文献１】特開２００３−３３５３号公報
【特許文献２】特開２００１−２１８６７２号公報
【特許文献３】特開２００３−１４５６６１号公報
【考案の開示】
【考案が解決しようとする課題】
【０００７】
解決しようとする問題点は、従来の遮光ーテンにおいては、建物の室外からの光線の侵入及び室内からの光線の漏出は完全に阻止することはできるが、シャワールームや浴室において大量に使用される水分の飛散を防止し、或いはシャワーの使用や入浴に伴って発生する多量の水蒸気の拡散侵入を阻止するという防水効果は期待できないという点であり、
また、シャワーカーテンにおいては、シャワールームや浴室において大量に使用される水分の飛散を防止し、或いはシャワーの使用や入浴に伴って発生する多量の水蒸気の拡散侵入を阻止することはできるが、入浴中やシャワー使用中の人体が、室内の照明によってシルエットの影絵として投影されるのを、シャワールームや浴室の外側から視認される恐れがあるという点である。
【課題を解決するための手段】
【０００８】
本考案の防水遮光カーテンは、黒色その他の暗色系の色彩に着色した不透明でかつ遮光機能を有する軟質合成樹脂製シートを両側から挟んで真中にすることにより、入浴中やシャワー使用中の人体が、シルエットの影絵として投影されるのを防止し遮光機能を発揮せしめ、黒色その他の暗色系の色彩に着色した合成樹脂製シートを、両側から、または一方の側面方向から挟んで、透明な資料製又は明色系の色彩に着色した資料製の或いは表面に模様や絵柄等を設けた軟質合成樹脂製シートを重層して一体に張着することにより、シャワールームや浴室における水分の飛散や水蒸気の拡散侵入を阻止するという防水効果を発揮せしめたことをと主要な特徴とするものである。
【０００９】
さらに、本考案の防水遮光カーテンは、このように、遮光機能を発揮せしめるために、黒色その他の暗色系の色彩に形成した不透明かつ遮光機能を有する軟質合成樹脂製シートの両側面又は一側面に、防水機能を有し、かつ、使用する場所の美的外観にも合致しうるように、透明又は明色系の色彩に着色し或いは表面に任意の模様や絵柄等を設けてなる軟質合成樹脂製シートを、層状に重層し一体に張着してなることを特徴とするものである。
【００１０】
また、本考案の防水遮光カーテンは、その使用する室内の色彩や模様や絵柄等に調和せしめて、黒色その他の暗色系の色彩に着色した不透明かつ遮光機能を有する軟質合成樹脂製シートの両側面又は一側面に、室内の彩色や模様に調和せしめた任意の色彩や、模様や、絵柄等を表面に形成してなる軟質合成樹脂製シートを、層状に重層し一体に張着してなることを特徴とする。
【００１１】
本考案の防水遮光カーテンは、器物等に接触しても容易には亀裂したり破損したりしないように表面を補強するために、黒色その他の暗色系の色彩に着色した不透明かつ遮光機能を有する軟質合成樹脂製シートの両側面又は一側面に、表面に幅方向に対し直交方向に、多数の突起線状に形成した凸状補強リブを、一定間隔に列設してなる軟質合成樹脂製シートを、層状に重層し一体に張着してなることを特徴とするものである。
【００１２】
本考案の防水遮光カーテンは、シャワールームや浴室等の高温多湿の場所において使用しても表面にカビ等が容易に発生しないように、黒色その他の暗色系の色彩に着色した不透明かつ遮光機能を有する軟質合成樹脂製シートの両側面又は一側面に、防カビ剤を混合してなる軟質合成樹脂製シートを、層状に重層し一体に張着してなることを特徴とするものである。
【００１３】
本考案の防水遮光カーテンは、継続使用しても環境汚染等の公害問題を惹起する恐れがなく安全でかつ比較的安価な防カビ剤として、電解銅粉末を用いてなるものである。
【００１４】
本考案の防水遮光カーテンは、継続使用しても環境汚染等の公害問題を惹起する恐れがなく安全でかつ比較的安価な天然の防カビ剤として、ゼオライト粉末を用いてなるものである。
【００１５】
本考案の防水遮光カーテンは、継続使用しても環境汚染等の公害問題を惹起する恐れがなく安全でかつ光電効果の高い防カビ剤として、セレン粉末を用いてなるものである。
【００１６】
本考案の防水遮光カーテンは、持続したより高い防カビ効果が期待でき、継続使用しても環境汚染等の公害問題を惹起する恐れがなく安全な防カビ剤として、電解銅粉末とゼオライト粉末とセレン粉末とを混合してなるものである。
【００１７】
本考案の防水遮光カーテンは、継続使用しても環境汚染等の公害問題を惹起する恐れが殆んどなく人体への影響もない安全でかつ殺菌効果も高い防カビ剤として、天然性の防カビ抗菌剤として竹の抽出成分のｐ−ベンゾキノン誘導体からなるものである。
【００１８】
本考案の防水遮光カーテンは、撥水効果が高く、かつ、比較的安価で加工しやすい資料製とするために、黒色その他の暗色系の色彩に着色した不透明かつ遮光機能を有する軟質ビニール樹脂製シートの両側面又は一側面に、透明又は明色系の色彩に着色し或いは表面に任意の模様や絵柄等を設けてなる、撥水機能を有する軟質ビニール樹脂製シートを、層状に重層し一体に張着してなることを特徴とするものである。
【考案の効果】
【００１９】
本考案の防水遮光カーテンは、黒色その他の暗色系の色彩に着色した不透明かつ遮光機能を有する軟質合成樹脂製シートを、真中に挟んで両側から又は一面方向から軟質合成樹脂製シートを層状に重層し一体に張着してなるものであるから、シャワールームや浴室において、シャワーや入浴に際して光線が外部へ漏れることがないため覗かれる恐れもなく、しかも、黒色その他の暗色系の色彩に着色した不透明かつ遮光機能を有する軟質合成樹脂製シートを有する為に、従来のシャワーカーテンの如く、人体のシルエットが影絵として防水遮光カーテンに投影されることがないから、これを外部から視認されるという恐れはまったくないから、防犯上も安全に使用できるという効果があり、さらに、シャワールームや浴室において、シャワーや入浴に際して、大量に使用される水分が、シャワールームや浴室の所定の場所以外に飛散する恐れがなく、また、シャワーの使用や入浴に伴い発生する多量の水蒸気がシャワールームや浴室以外の場所へ拡散侵入する恐れがなく、防水機能も高いという効果がある。
【００２０】
本考案の防水遮光カーテンは、黒色その他の暗色系の色彩に着色した不透明かつ遮光機能を有する軟質合成樹脂製シートの両側又は一側面に、層状に重層し一体に張着される軟質合成樹脂製シートが、明色系の色彩に着色してなるものであるから、重層したシート内部に黒色その他の暗色系の色彩に着色したシートが有っても、周囲の雰囲気に調和した明るい色合いの防水遮光カーテンとすることができ、さらに、その表面に任意の模様や絵柄等を設ければ、一層本考案の防水遮光カーテンを張設して使用する室内の雰囲気に調和したものを提供できるという効果がある。
【００２１】
本考案の防水遮光カーテンは、黒色その他の暗色系の色彩に着色したシートの両側又は一側面に、層状に重層し一体に張着される軟質合成樹脂製シートが、その表面に幅方向に対し直交方向に多数の突起線状に形成した凸状補強リブを一定間隔に列設してなるものであるから、本考案の防水遮光カーテンを相当に乱暴に開閉したり、器物等に接触しても亀裂を生じたり、破損したりする恐れがない強靭な防水遮光カーテンを提供できるという効果がある。
【００２２】
本考案の防水遮光カーテンは、両側又は一側面に、層状に重層し一体に張着される軟質合成樹脂製シートが、防カビ剤を混合してなるものであるから、シャワールームや浴室等の高温多湿の場所において使用しても表面にカビ等が容易には発生する恐れがないという効果がある。、
【００２３】
本考案の防水遮光カーテンは、両側又は一側面に、層状に重層し一体に張着される軟質合成樹脂製シートが、電解銅粉末を混合してなるものであるから、シャワールームや浴室等の高温多湿の場所において使用しても表面にカビ等が容易には発生する恐れがなく、継続使用しても環境汚染等の公害問題を惹起する恐れがなく安全でかつ比較的安価に入手できるという効果がある。
【００２４】
本考案の防水遮光カーテンは、両側又は一側面に、層状に重層し一体に張着される軟質合成樹脂製シートが、ゼオライト粉末を混合してなるものであるから、シャワールームや浴室等の高温多湿の場所において使用しても表面にカビ等が容易には発生する恐れがなく、継続使用しても環境汚染等の公害問題を惹起する恐れがなく安全でかつ比較的安価な天然の防カビ剤として効果がある。
【００２５】
本考案の防水遮光カーテンは、両側又は一側面に、層状に重層し一体に張着される軟質合成樹脂製シートが、セレン粉末を混合してなるものであるから、シャワールームや浴室等の高温多湿の場所において使用しても表面にカビ等が容易には発生する恐れがなく、継続使用しても環境汚染等の公害問題を惹起する恐れがなく安全でかつ光電効果の高い防カビ剤として効果がある。
【００２６】
本考案の防水遮光カーテンは、両側又は一側面に、層状に重層し一体に張着される軟質合成樹脂製シートが、電解銅粉末とゼオライト粉末とセレン粉末とを混合してなるものであるから、持続したより高い防カビ効果が期待でき、継続使用しても環境汚染等の公害問題を惹起する恐れがないという効果がある。
【００２７】
本考案の防水遮光カーテンは、両側又は一側面に、層状に重層し一体に張着される軟質合成樹脂製シートが、天然性の防カビ抗菌剤として竹の抽出成分のｐ−ベゾキノン誘導体を混合してなるものであるから、殺菌効果も高く、継続使用しても環境汚染等の公害問題を惹起する恐れが殆んどなく、しかも、人体への影響も殆んどない安全であるという効果がある。
【００２８】
本考案の防水遮光カーテンは、黒色その他の暗色系の色彩に着色した軟質ビニール樹脂製シートを用い、かつ、その両側又は一側面にも、層状に重層し一体に張着される軟質ビニール樹脂製シートが用いられているから、比較的安価で入手しやしく、かつ、撥水性に富むから、高温多湿なシャワールームや浴室において使用しても、比較的早く表面に付着した水滴が落下してしまい、いわゆる水切れが良く乾燥しやすいという効果がある。
【００２９】
本考案の防水遮光カーテンは、黒色その他の暗色系の色彩に着色した軟質ビニール樹脂製シートを用い、かつ、その両側又は一側面にも、層状に重層し一体に張着される軟質ビニール樹脂製シートが用いられているから、防水遮光カーテンの全面全体が一体に密着して張着されているから、任意の位置で切断しても、切断面の張着した各々のシートが剥離したり、切断面がホツレて解ける等の恐れが全くないから、本考案の防水遮光カーテンを張設する窓やドアやその他の位置に適合するように、任意の幅や丈の長さに調節して切断することができるという効果がある。
【考案を実施するための最良の形態】
【００３０】
本考案は、シャワールームや浴室において大量に使用される水分の飛散を防止し、多量に発生する水蒸気の拡散侵入を阻止するという防水効果を発揮しながら、同時に、入浴中やシャワー使用中の人体が、シルエットの影絵として投影されるのを防止するという目的を、黒色その他の暗色系の色彩に着色した不透明かつ遮光機能を有する軟質合成樹脂製シートを、真中に挟んで両側から又は一側面方向から軟質合成樹脂製シートを、層状に重層し一体に張着することにより実現した。
【実施例１】
【００３１】
図１は、本考案の防水遮光カーテンの１実施例を示す正面図であって、図２は図１の断面図であり、図３は、本考案の他の実施例を示す要部の断面図であり、図４並びに図５は、本考案の他の実施例を示す正面図である。
図中において符号の１は、防水遮光カーテン、２は遮光軟質合成樹脂製シート、３は軟質合成樹脂製シート、４は軟質合成樹脂製シート、５は吊下用補強孔部、６は凸状補強リブ、７は防カビ剤、８は模様又は絵柄、である。
【００３２】
防水遮光カーテン１は、不透明かつ遮光性を有し光を透過しないように、黒色または暗色系の着色剤を表面全面に均一に着色塗装し、又は該着色剤をシートの原料に均一に混合・混濁せしめシート化してなる遮光軟質合成樹脂製シート２と、該遮光軟質合成樹脂製シート２の両側面の全面に軟質合成樹脂製シート３、４とを層状に重層して一体に張着してなるものである。
また、遮光軟質合成樹脂製シート２の表面に層状に重層して一体に張着する軟質合成樹脂製シート３は、遮光軟質合成樹脂製シート２の両側面でなく、その一方の側面のみの表面に層状に重層して一体に張着してもよい。
【００３３】
遮光軟質合成樹脂製シート２と軟質合成樹脂製シート３、４とは、その肉厚は０．０１ｍｍから０．５ｍｍ程度の肉厚を有し、その幅や丈の長さは特に問わず、必要に応じてその都度適宜な幅や丈の長さに切断して、防水遮光カーテン１して用いるものであり、その樹脂の種類や材質については、軟質の合成樹脂であれば、特にその樹脂の種類や材質を問わないが、例えば、軟質ポリエチレンや軟質ビニール樹脂や酢酸ビニール樹脂或いはポリエチレンやポリプロピレン、フェノール樹脂等の柔軟性と撥水性とに富むものであればよいが、入手が容易であって安価であり、しかも加工が容易であり比較的に撥水性に富むという点、及び、層状に重層して一体に張着するという張着加工において、格別の接着剤等を必要とせず、一定の加熱温度の約６０℃乃至約８０℃の温度範囲で加熱加圧することにより、層状に重層したシートを一体に張着することができるという加工の容易性から、ビニール樹脂、特に、軟質塩化ビニール樹脂が好適である。
【００３４】
軟質合成樹脂製シート３、４とは、透明な資料製の軟質合成樹脂製のシートでもよく、又は、その表面の全面に防水遮光カーテン１を張設する浴室やシャワールームやその他の場所と色彩的な調和を有するような、薄緑色や黄色やピンク色等の明色系の色彩に着色し、或いは、その表面の全面に花柄の絵柄や市松模様等の適宜な模様や絵柄等を施し、防水遮光カーテン１を張設する浴室やシャワールームやその他の場所の雰囲気にマッチした防水遮光カーテン１を実現した。
【００３５】
本考案の防水遮光カーテン１には、浴室やシャワールームにおいて防水遮光カーテン１として張設するには、図１に示すように防水遮光カーテン１の上方の適宜に適宜間隔に透孔を穿孔し、合成樹脂製の補強用の筒状吸着盤を前記透孔に挿着して一体に取付けてなる吊下用補強孔部５を設け、該吊下用補強孔部５を利用して防水遮光カーテン１を吊り下げれば、相当に重量のある防水遮光カーテン１であつても、容易に浴室やシャワールーム等の任意の場所に張設することができる。
【実施例２】
【００３６】
図３は、他の実施例２を示すものであり、本考案の防水遮光カーテン１の遮光軟質合成樹脂製シート２の両側面又はその一側面に、層状に重層して一体に張着した軟質合成樹脂製シート３、４の表面の全面には、防水遮光カーテン１の幅方向に対し直交方向、すなわち、丈の長さ方向に、断面半円状に突設した凸状補強リブ６を、平行に、かつ、適宜な所定間隔に列設してなるものである。
【００３７】
このように、防水遮光カーテン１の遮光軟質合成樹脂製シート２の両側面又はその一側面に、層状に重層して一体に張着した軟質合成樹脂製シート３、４の表面の全面に、丈の長さ方向に、断面半円状に突設した凸状補強リブ６を、平行に、かつ、適宜な所定間隔に列設してなるから、防水遮光カーテン１の表面が補強されて、防水遮光カーテン１を相当に強く開閉したり、器物等に接触しても、防水遮光カーテン１が亀裂が生じたり、破損する等の恐れがないという効果がある。
【実施例３】
【００３８】
図４は、他の実施例３を示すものであり，本考案の防水遮光カーテン１の遮光軟質合成樹脂製シート２の両側面又はその一側面に、層状に重層して一体に張着した軟質合成樹脂製シート３、４には、防カビ剤７を軟質合成樹脂製シート３、４の原料に、予め均一に混合して分散し、該防カビ剤７を予め均一に混合して分散した原料を用いて軟質合成樹脂製シート３、４を形成し、防カビ剤７を均一に混合して分散した軟質合成樹脂製シート３、４を、遮光軟質合成樹脂製シート２の両側面又はその一側面に、層状に重層して一体に張着してなるものである。
また、この防カビ剤７は、防カビ剤７を軟質合成樹脂製シート３、４の原料に、予め均一に混合して分散し、該防カビ剤７を予め均一に混合して分散した原料を用いて軟質合成樹脂製シート３、４を形成するのではなく、適宜な防水性の塗料に該防カビ剤７を均一に混合して分散し、防カビ剤７を均一に混合して分散した防水性の塗料を、軟質合成樹脂製シート３、４の表面の全面に均一に塗装することにより防カビ剤７を設けてもよい。
【００３９】
このように、防水遮光カーテン１の遮光軟質合成樹脂製シート２の両側面又はその一側面に、層状に重層して一体に張着した軟質合成樹脂製シート３、４には、防カビ剤７を均一に混合して分散してなるものであるから、浴室やシャワールーム等の高温多湿の場所において使用するシャワーカーテン等として、本考案の防水遮光カーテン１を使用しても、この防カビ剤７の薬効により防水遮光カーテン１の表面に、カビや細菌が発生しないで安全な防水遮光カーテン１を提供できるという効果がある。
【００４０】
防カビ剤７は、粗銅を電気分解して高純度に分離析出した電解銅粉末の粒径０．５乃至５０μｍ程度の５００重量部程度を軟質合成樹脂製シート３、４の原料に、予め均一に混合して分散して軟質合成樹脂製シート３、４を形成し、または、防水性の塗料に該防カビ剤７の電解銅粉末を均一に混合して分散し、防カビ剤７の電解銅粉末を均一に混合して分散した防水性の塗料を、軟質合成樹脂製シート３、４の表面の全面に均一に塗装するものである。
【００４１】
このように、防水遮光カーテン１の遮光軟質合成樹脂製シート２の両側面又はその一側面に、層状に重層して一体に張着した軟質合成樹脂製シート３、４には、防カビ剤７の電解銅粉末を均一に混合して分散してなるものであるから、浴室やシャワールーム等の高温多湿の場所において使用するシャワーカーテン等として、本考案の防水遮光カーテン１を使用しても、この防カビ剤７の電解銅粉末の電荷イオンによる殺菌作用とカビに対する忌避作用により防水遮光カーテン１の表面に、カビや細菌が発生しないで安全な防水遮光カーテン１を提供できるという効果がある。
【００４２】
防カビ剤７は、ゼオライト粉末の粒径１００乃至２００メッシュ程度の５００重量部程度を軟質合成樹脂製シート３、４の原料に、予め均一に混合して分散して軟質合成樹脂製シート３、４を形成し、または、防水性の塗料に該防カビ剤７のゼオライトン粉末を均一に混合して分散し、または、防カビ剤７のゼオライト粉末を均一に混合して分散した防水性の塗料を、軟質合成樹脂製シート３、４の表面の全面に均一に塗装するものである。
【００４３】
このように、防水遮光カーテン１の遮光軟質合成樹脂製シート２の両側面又はその一側面に、層状に重層して一体に張着した軟質合成樹脂製シート３、４には、防カビ剤７のゼオライト粉末を均一に混合して分散してなるものであるから、浴室やシャワールーム等の高温多湿の場所において使用するシャワーカーテン等として、本考案の防水遮光カーテン１を使用しても、この防カビ剤７のゼオライトに含まれるナトリュウムイオンやカルシュウムイオンやカリュウムイオンやマグネッシュウムイオンや鉄イオンによるカビに対する殺菌作用により防水遮光カーテン１の表面に、カビや細菌が発生しないで安全な防水遮光カーテン１を提供できるという効果がある。
【００４４】
防カビ剤７は、金属状灰色セレンのセレン粉末の粒径粒径０．５乃至５０μｍ程度の５００重量部程度を、軟質合成樹脂製シート３、４の原料に、予め均一に混合して分散して軟質合成樹脂製シート３、４を形成し、または、防水性の塗料に該防カビ剤７のセレン粉末を均一に混合して分散し、または、防カビ剤７のセレン粉末を均一に混合して分散した防水性の塗料を、軟質合成樹脂製シート３、４の表面の全面に均一に塗装するものである。
【００４５】
このように、防水遮光カーテン１の遮光軟質合成樹脂製シート２の両側面又はその一側面に、層状に重層して一体に張着した軟質合成樹脂製シート３、４には、防カビ剤７のセレン粉末を均一に混合して分散してなるものであるから、浴室やシャワールーム等の高温多湿の場所において使用するシャワーカーテン等として、本考案の防水遮光カーテン１を使用しても、この防カビ剤７のセレン粉末によるセレンの光電効果により光線中の波長の短い紫外線によって強いエネルギーの吸収によって、電子が飛び出すことによりセレンが電荷イオン化しプラス電荷を帯びることにより、プラス電荷を帯びた水生カビに対し、プラス電荷の同極の反発作用により防水遮光カーテン１の表面に、カビや細菌が発生しないで安全な防水遮光カーテン１を提供できるという効果がある。
【００４６】
防カビ剤７は、電解銅粉末と、ゼオライト粉末と、金属状灰色セレンのセレン粉末とを均一に混合して、軟質合成樹脂製シート３、４の原料に、予め均一に混合して分散して軟質合成樹脂製シート３、４を形成し、または、防水性の塗料に該防カビ剤７の電解銅粉末と、ゼオライト粉末と、金属状灰色セレンのセレン粉末とを均一に混合して分散し、または、防カビ剤７の電解銅粉末と、ゼオライト粉末と、金属状灰色セレンのセレン粉末とを均一に混合して分散した防水性の塗料を、軟質合成樹脂製シート３、４の表面の全面に均一に塗装するものである。
【００４７】
このように、防水遮光カーテン１の遮光軟質合成樹脂製シート２の両側面又はその一側面に、層状に重層して一体に張着した軟質合成樹脂製シート３、４には、防カビ剤７の電解銅粉末と、ゼオライト粉末と、金属状灰色セレンのセレン粉末とを均一に混合して分散してなるものであるから、浴室やシャワールーム等の高温多湿の場所において使用するシャワーカーテン等として、本考案の防水遮光カーテン１を使用しても、この防カビ剤７の電解銅粉末と、ゼオライト粉末と、金属状灰色セレンと、の相乗効果により、防水遮光カーテン１の表面に、カビや細菌が発生しないで安全な防水遮光カーテン１を提供できるという効果がある。
【００４８】
防カビ剤７は、天然の植物たる竹の抽出成分たるＰーベンゾキノン誘導体を界面活性剤とを、水溶性塗料に分散して均一に混合してなる該塗料を、軟質合成樹脂製シート３、４の表面の全面に均一に塗装するものである。
【００４９】
このように、防水遮光カーテン１の遮光軟質合成樹脂製シート２の両側面又はその一側面に、層状に重層して一体に張着した軟質合成樹脂製シート３、４には、防カビ剤７のＰーベンゾキノン誘導体を界面活性剤を、水溶性塗料に分散して均一に混合してなる該塗料を塗装てなるものであるから、浴室やシャワールーム等の高温多湿の場所において使用するシャワーカーテン等として、本考案の防水遮光カーテン１を使用しても、この防カビ剤７のＰーベンゾキノン誘導体の防カビ・抗菌作用と、ウイルスや細菌に対する殺菌効果とにより、防水遮光カーテン１の表面に、カビや細菌が発生しないで人体にも殆んど影響を及ぼさない安全な防水遮光カーテン１を提供できるという効果がある。
【実施例４】
【００５０】
図５は、他の実施例４を示すものであり、本考案の防水遮光カーテン１の遮光軟質合成樹脂製シート２の両側面又はその一側面に、層状に重層して一体に張着した軟質合成樹脂製シート３、４の表面の全面には、本考案の防水遮光カーテン１を張設する浴室やシャワールームその他の部屋や場所の雰囲気に調和した、模様又は絵柄８を表示してなるものである。
【００５１】
このように、防水遮光カーテン１の遮光軟質合成樹脂製シート２の両側面又はその一側面に、層状に重層して一体に張着した軟質合成樹脂製シート３、４の表面の全面に、本考案の防水遮光カーテン１を張設する、浴室やシャワールームその他の部屋や場所の雰囲気に調和した、模様又は絵柄８を表示してなるものであるから、本考案の防水遮光カーテン１を張設する場所の雰囲気に調和した防水遮光カーテン１を提供できるとい効果がある。
【産業上の利用可能性】
【００５２】
本考案の防水遮光カーテンは、黒色その他の暗色系の色彩に着色した不透明かつ遮光機能を有する軟質合成樹脂製シートを、真中に挟んで両側から又は一面方向から軟質合成樹脂製シートを層状に重層し一体に張着してなるものであるから、室内外からの光線の遮光機能が高く、しかも、高温多湿な場所において用いても防水効果も高く、層状に重層した軟質合成樹脂製シートが、周囲の雰囲気に調和した明るい色合いや模様や絵柄等に形成され、しかも、防カビ効果と撥水性とを有するものであるから、建物の窓やドアの他の開口部のカーテンとしては勿論のこと、高温多湿であらゆる方向からの光線を遮光する必要がある場所や、抗菌効果や防カビ効果が期待される病院の手術室等の多種多様な用途に利用できるものである。
【図面の簡単な説明】
【００５３】
【図１】本考案の防水遮光カーテンの実施例を示す正面図である。（実施例１）
【図２】本考案の防水遮光カーテンの実施例を示す断面図である。（実施例１）
【図３】本考案の防水遮光カーテンの他の実施例を示す正面図である。（実施例２）
【図４】本考案の防水遮光カーテンの他の実施例を示す断面図である。（実施例３）
【図５】本考案の防水遮光カーテンの他の実施例を示す正面図である。（実施例４）
【符号の説明】
【００５４】
１    防水遮光カーテン
２    遮光軟質合成樹脂製シート
３    軟質合成樹脂製シート
４    軟質合成樹脂製シート
５    吊下用補強孔部
６    凸状補強リブ
７    防カビ剤
８    模様又は絵柄
【図１】
0003102662.tif 000003
【図２】
0003102662.tif 000004
【図３】
0003102662.tif 000005
【図４】
0003102662.tif 000006
【図５】
0003102662.tif 000007